(57)【要約】【課題】工事用ケーブルを配電線へ取り付けたときの配電線の横加重負担を低減するとともに、作業性を向上させるケーブルクランプ仮預け工具を提供する。【解決手段】径間クリート１は、配電線保持部４と、連結部材５と、ケーブルクランプ保持部６と、ロープ８と、を備える。配電線保持部４は、電柱の間の配電線９０に対して着脱可能である。連結部材５は、電気絶縁性を有し、細長く形成される。ケーブルクランプ保持部６は、ケーブルクランプを着脱可能である。ロープ８は、変形可能であり、細長く構成される。連結部材５の一端部が配電線保持部４に回転可能に取り付けられることで、配電線保持部４に対する連結部材５の姿勢が変更可能である。ケーブルクランプ保持部６の位置が、連結部材５の姿勢の変更に伴って移動する。ロープ８の端部の位置が、連結部材５の姿勢の変更に伴って移動する。【選択図】図１
2020137268.tif 000002
【特許請求の範囲】
【請求項１】
電柱の間の配電線に対して着脱可能な配電線保持部と、
電気絶縁性を有し、細長く形成された連結部材と、
ケーブルクランプを着脱可能なケーブルクランプ保持部と、
変形可能な細長い吊り部材と、
を備え、
前記連結部材の一端部が前記配電線保持部に回転可能に取り付けられることで、前記配電線保持部に対する当該連結部材の姿勢が変更可能であり、
前記ケーブルクランプ保持部の位置が、前記連結部材の姿勢の変更に伴って移動し、
前記吊り部材の端部の位置が、前記連結部材の姿勢の変更に伴って移動することを特徴とするケーブルクランプ仮預け工具。
【請求項２】
請求項１に記載のケーブルクランプ仮預け工具であって、
短絡接地クランプを着脱可能な短絡接地クランプ保持部を備えることを特徴とするケーブルクランプ仮預け工具。
【請求項３】
請求項２に記載のケーブルクランプ仮預け工具であって、
前記ケーブルクランプ保持部と、前記短絡接地クランプ保持部とが、電気的に導通していることを特徴とするケーブルクランプ仮預け工具。
【請求項４】
請求項２又は３に記載のケーブルクランプ仮預け工具であって、
前記ケーブルクランプ保持部と、前記短絡接地クランプ保持部とが、前記連結部材を挟んで互いに反対側に配置されていることを特徴とするケーブルクランプ仮預け工具。
【請求項５】
請求項１から４までの何れか一項に記載のケーブルクランプ仮預け工具であって、
前記連結部材が前記配電線保持部に対して回転する回転軸は、前記配電線保持部が前記配電線を保持する場所と、平面視で異なる位置に配置されていることを特徴とするケーブルクランプ仮預け工具。
【請求項６】
電柱の間の配電線に対して着脱可能な配電線保持部と、
電気絶縁性を有し、細長く形成された連結部材と、
ケーブルクランプを着脱可能なケーブルクランプ保持部と、
変形可能な細長い吊り部材と、
を備え、
前記連結部材の一端部が前記配電線保持部に回転可能に取り付けられることで、前記配電線保持部に対する当該連結部材の姿勢が変更可能であり、
前記ケーブルクランプ保持部の位置が、前記連結部材の姿勢の変更に伴って移動し、
前記吊り部材の端部の位置が、前記連結部材の姿勢の変更に伴って移動するケーブルクランプ仮預け工具を用いた工事用ケーブル接続方法であって、
電柱の間の前記配電線に前記ケーブルクランプ仮預け工具の前記配電線保持部が取り付けられた状態で、前記ケーブルクランプ保持部に取り付けられている前記ケーブルクランプを、前記ケーブルクランプ保持部から取り外して前記配電線に接続するケーブルクランプ接続工程を含み、
前記ケーブルクランプ接続工程において、前記ケーブルクランプに接続されている工事用ケーブルの中途部が、前記吊り部材によって支持されていることを特徴とする工事用ケーブル接続方法。
【発明の詳細な説明】
【技術分野】
【０００１】
本発明は、主として、ケーブルクランプを電線に仮預けするための仮預け工具に関する。
【背景技術】
【０００２】
電柱と電柱の間に架設した配電線に対して工事を行う場合において、近年は、特許文献１に示すような、活線切分工法と無停電バイパス工法を組み合わせた工事方法が普及している。
【０００３】
この工法について説明すると、先ず、配電線に通電された状態（活線状態）で、この配電線において工事区間の両外側の箇所の間を、バイパス電路によって電気的に接続する。その後、工事区間の両端で配電線をそれぞれ切断する。この切断は、活線状態で、かつ、切断後も電柱と電柱の間で配電線の張力を保持できるように行われる。特許文献１には、配電線に張力が掛かったままで配電線を切断できる工具が開示されている。
【０００４】
次に、切断された２箇所の間で停電した配電線に、接地短絡器具を電気的に接続する。接地短絡器具は、例えば特許文献２に開示されている。この状態で、工事区間の配電線に対する作業が行われる。
【０００５】
バイパス電路の両端には、工事用ケーブルとしてのバイパスケーブルがそれぞれ配置される。バイパスケーブルの一側の端部には、電柱と電柱の間の配電線に接続するためのケーブルクランプが取り付けられる。例えば特許文献３には、配電線の絶縁被覆の剥ぎ取りが不要なケーブルクランプが開示されている。このケーブルクランプは、接触刃を備えた可動体を配電線側に押し付けて配電線を挟み込む構成となっている。これにより、接触刃が絶縁被覆を貫通することで、バイパスケーブルが配電線に電気的に接続される。
【０００６】
バイパスケーブルにおいてケーブルクランプと反対側の端部は、電柱に取り付けられた工事用開閉器に接続される。工事用開閉器は、例えば特許文献４に開示されている。これにより、バイパス電路を電気的に開閉することができる。
【０００７】
従来、配電線に接続される前のケーブルクランプは、工事用開閉器が取り付けられた電柱に、一時的に支持させていた（仮預け）。具体的に説明すると、例えば特許文献５に示されるような仮支持クリートを電柱の適宜の場所に事前に取り付けておき、この仮支持クリートにケーブルクランプを仮預けする。その後、仮預けされているケーブルクランプを、電柱と電柱の間の配電線に接続する。
【先行技術文献】
【特許文献】
【０００８】
【特許文献１】特開昭６２−３１３１２号公報
【特許文献２】特開２００９−１７７８９８号公報
【特許文献３】特許第５９１７６６１号公報
【特許文献４】特開２０１７−１３０２９５号公報
【特許文献５】特開２００６−３１８７２０号公報
【発明の概要】
【発明が解決しようとする課題】
【０００９】
従来の工法では、ケーブルクランプを仮預けした電柱から、配電線の接続対象箇所（電柱と電柱の間の部分）まで、ケーブルクランプを作業者が高所作業車のバケットで運ぶ必要がある。通常、配電線は３相３線式であるので、作業者は電柱から配電線の中途部まで、バケットで３往復する必要があった。ケーブルクランプを配電線に接続した後は、作業者は、下に凸となるように湾曲するバイパスケーブルに対して、常に十分に離れていなければならない。このため、バケットを大きく迂回させながら移動する必要があり、時間が更に多く掛かっていた。
【００１０】
また、工事用開閉器と、そこから離れた配電線への接続箇所と、の間をバイパスケーブルでつなぐと、バイパスケーブルは配電線に対して、垂直ではなく斜め下方に垂れ下がるようにして接続される形となる。従って、バイパスケーブルの重量のうち相当の部分が、ケーブルクランプを介して配電線に加わる。従って、配電線がケーブルクランプによって斜め下方に強く引っ張られるため、配電線の横加重負担が増大し、配電線に損傷等が生じる原因となっていた。また、配電線とバイパスケーブルの接続部に斜め方向の力が加わるため、電気的接続の信頼性が低下する原因となっていた。
【００１１】
本発明は以上の事情に鑑みてされたものであり、その目的は、工事用ケーブルを配電線へ取り付けたときの配電線の横加重負担を低減するとともに、作業性を向上させるケーブルクランプ仮預け工具を提供することにある。
【課題を解決するための手段及び効果】
【００１２】
本発明の解決しようとする課題は以上の如くであり、次にこの課題を解決するための手段とその効果を説明する。
【００１３】
本発明の第１の観点によれば、以下の構成のケーブルクランプ仮預け工具が提供される。即ち、このケーブルクランプ仮預け工具は、配電線保持部と、連結部材と、ケーブルクランプ保持部と、吊り部材と、を備える。前記配電線保持部は、電柱の間の配電線に対して着脱可能である。前記連結部材は、電気絶縁性を有し、細長く形成される。前記ケーブルクランプ保持部は、ケーブルクランプを着脱可能である。前記吊り部材は、変形可能であり、細長く構成される。前記連結部材の一端部が前記配電線保持部に回転可能に取り付けられることで、前記配電線保持部に対する当該連結部材の姿勢が変更可能である。前記ケーブルクランプ保持部の位置が、前記連結部材の姿勢の変更に伴って移動する。前記吊り部材の端部の位置が、前記連結部材の姿勢の変更に伴って移動する。
【００１４】
これにより、電柱の間の配電線に固定したケーブルクランプ仮預け工具に、ケーブルクランプを仮預けすることができる。従って、電柱に仮預けする場合と比較して、仮預けしたケーブルクランプを配電線に接続するまでに移動させなければならない距離を短縮することができる。また、ケーブルクランプ保持部にケーブルクランプを仮預けした状態で、又は、工事用ケーブルの中途部にロープを固定した状態で、連結部材の姿勢を配電線保持部に対して変更することができる。従って、工事用ケーブルを無理に曲げることなく支持することができる。更に、工事用ケーブルの中途部にロープを固定することで、工事用ケーブルの重量のうち相当の部分を、ケーブルクランプ仮預け工具によって支持することができる。従って、配電線の横加重負担を軽減できる。言い換えれば、ケーブルクランプを配電線に接続した状態で工事用ケーブルによってケーブルクランプが斜め下方に強く引っ張られることによる配電線の損傷等を防止できる。
【００１５】
前記のケーブルクランプ仮預け工具においては、短絡接地クランプを着脱可能な短絡接地クランプ保持部を備えることが好ましい。
【００１６】
これにより、ケーブルクランプに加えて、短絡接地クランプをケーブルクランプ仮預け工具に仮預けすることもできる。従って、作業性が更に向上する。
【００１７】
前記のケーブルクランプ仮預け工具においては、前記ケーブルクランプ保持部と、前記短絡接地クランプ保持部とが、電気的に導通していることが好ましい。
【００１８】
これにより、ケーブルクランプをケーブルクランプ保持部に取り付け、短絡接地クランプを短絡接地クランプ保持部に取り付けることで、工事用ケーブルの放電を容易に行うことができる。
【００１９】
前記のケーブルクランプ仮預け工具においては、前記ケーブルクランプ保持部と、前記短絡接地クランプ保持部とが、前記連結部材を挟んで互いに反対側に配置されていることが好ましい。
【００２０】
これにより、ケーブルクランプ仮預け工具の小型化を実現できる。また、コンパクトなスペースに、ケーブルクランプ及び短絡接地クランプを仮預けすることができる。
【００２１】
前記のケーブルクランプ仮預け工具においては、前記連結部材が前記配電線保持部に対して回転する回転軸は、前記配電線保持部が前記配電線を保持する場所と、平面視で異なる位置に配置されていることが好ましい。
【００２２】
これにより、連結部材と配電線保持部の間に適宜の隙間を形成できる。従って、連結部材が姿勢を変更するときに配電線保持部が邪魔になりにくい構成を実現できる。
【００２３】
本発明の第２の観点によれば、以下の工事用ケーブル接続方法が提供される。即ち、この工事用ケーブル接続方法では、配電線保持部と、連結部材と、ケーブルクランプ保持部と、吊り部材と、を備えるケーブルクランプ仮預け工具を用いる。前記配電線保持部は、電柱の間の配電線に対して着脱可能である。前記連結部材は、電気絶縁性を有し、細長く形成される。前記ケーブルクランプ保持部は、ケーブルクランプを着脱可能である。前記吊り部材は、変形可能であり、細長く構成される。前記連結部材の一端部が前記配電線保持部に回転可能に取り付けられることで、前記配電線保持部に対する当該連結部材の姿勢が変更可能である。前記ケーブルクランプ保持部の位置が、前記連結部材の姿勢の変更に伴って移動する。前記吊り部材の端部の位置が、前記連結部材の姿勢の変更に伴って移動する。前記工事用ケーブル接続方法は、ケーブルクランプ接続工程を含む。このケーブルクランプ接続工程では、電柱の間の前記配電線に前記ケーブルクランプ仮預け工具の前記配電線保持部が取り付けられた状態で、前記ケーブルクランプ保持部に取り付けられている前記ケーブルクランプを、前記ケーブルクランプ保持部から取り外して前記配電線に接続する。前記ケーブルクランプ接続工程において、前記ケーブルクランプに接続されている工事用ケーブルの中途部が、前記吊り部材によって支持されている。
【００２４】
これにより、電柱の間の配電線に固定したケーブルクランプ仮預け工具に、ケーブルクランプを仮預けすることができる。従って、電柱に仮預けする場合と比較して、仮預けしたケーブルクランプを配電線に接続するまでに移動させなければならない距離を短縮することができる。また、ケーブルクランプ保持部にケーブルクランプを仮預けした状態で、又は、工事用ケーブルの中途部にロープを固定した状態で、連結部材の姿勢を配電線保持部に対して変更することができる。従って、工事用ケーブルを無理に曲げることなく支持することができる。更に、工事用ケーブルの中途部にロープを固定することで、工事用ケーブルの重量のうち相当の部分を、ケーブルクランプ仮預け工具によって支持することができる。従って、配電線の横加重負担を軽減できる。言い換えれば、ケーブルクランプを配電線に接続した状態で工事用ケーブルによってケーブルクランプが斜め下方に強く引っ張られることによる配電線の損傷等を防止できる。
【図面の簡単な説明】
【００２５】
【図１】本発明の一実施形態に係る径間クリートの全体的な構成を示す斜視図。
【図２】ケーブルクランプを示す斜視図。
【図３】短絡接地クランプを示す斜視図。
【図４】配電線に設定される工事区間を示す模式図。
【図５】配電線に径間クリートを取り付けた状態を示す模式図。
【図６】ケーブルクランプを径間クリートに仮預けした状態を示す模式図。
【図７】短絡接地クランプを径間クリートに仮預けした状態を示す模式図。
【図８】バイパスケーブルの中途部をロープで吊った状態を示す模式図。
【図９】ケーブルクランプを配電線に接続した状態を示す模式図。
【図１０】図９に対応した状態を示す斜視図。
【図１１】切断された配電線に短絡接地クランプを接続した状態を示す模式図。
【図１２】ケーブルクランプを配電線から取り外して径間クリートに仮預けする前に、３つの径間クリートにそれぞれ短絡接地クランプを仮預けした状態を示す斜視図。
【発明を実施するための形態】
【００２６】
次に、図面を参照して本発明の実施の形態を説明する。図１は、本発明の一実施形態に係る径間クリート１の全体的な構成を示す斜視図である。図２は、ケーブルクランプ６０を示す斜視図である。図３は、短絡接地クランプ７０を示す斜視図である。
【００２７】
図１に示す径間クリート（ケーブルクランプ仮預け工具）１は、配電線９０のうち電柱と電柱の間の部分に着脱可能に取り付けられる工具である。径間クリート１は、配電線９０に取り付けられた状態で、図２に示すケーブルクランプ６０、及び、図３に示す短絡接地クランプ７０を一時的に支持することができる（仮預け）。
【００２８】
径間クリート１は、図１に示すように、配電線保持部４と、連結部材５と、ケーブルクランプ保持部６と、短絡接地クランプ保持部７と、ロープ（吊り部材）８と、を備える。
【００２９】
配電線保持部４は、配電線９０を上下から挟んで保持する。これにより、径間クリート１を配電線９０に固定することができる。
【００３０】
配電線保持部４は、クランプ本体１０と、ネジボス１３と、ネジ軸１１と、可動部材１２と、操作ジョイント１６と、オフセットアーム１７と、を備える。
【００３１】
クランプ本体１０は、略Ｃ字状に形成され、その内部に配電線９０を入れることができる。クランプ本体１０の上部はフック状に形成されているので、クランプ本体１０を配電線９０に引っ掛けることができる。
【００３２】
ネジボス１３は、クランプ本体１０の下部に固定されている。ネジボス１３には、貫通状のネジ孔が形成されている。このネジ孔は、クランプ本体１０を配電線９０に引っ掛けた状態で、上下方向に向くように配置されている。
【００３３】
ネジ軸１１は、ネジボス１３のネジ孔に捩じ込まれている。ネジ軸１１の一端（上端）は、クランプ本体１０の内部に突出している。ネジ軸１１の他端（下端）には、操作ジョイント１６が形成されている。
【００３４】
可動部材１２は、クランプ本体１０の内部に配置されている。可動部材１２は、ネジ軸１１の端部に、回転可能に取り付けられている。クランプ本体１０を配電線９０に引っ掛けた状態で、可動部材１２は配電線９０の下方に位置している。
【００３５】
可動部材１２は、クランプ本体１０に対して、ネジ軸１１と平行な方向に移動可能となるように案内されている。また、可動部材１２は、クランプ本体１０に対して回り止めがされている。
【００３６】
操作ジョイント１６は、ネジ軸１１の下端にボス状に形成されている。操作ジョイント１６には、ホットスティック５０を着脱可能に接続することができる。ホットスティック５０は、間接活線工法において遠隔操作のために用いられる公知の絶縁棒である。操作ジョイント１６にホットスティック５０を接続した状態でホットスティック５０を回転させることで、ネジ軸１１を回転させることができる。
【００３７】
オフセットアーム１７は、クランプ本体１０に固定されている。オフセットアーム１７は、配電線保持部４が配電線９０に取り付けられた状態で、配電線９０の長手方向と平行に細長く延びている。詳細は後述するが、このオフセットアーム１７に、連結部材５が取り付けられる。
【００３８】
以上の構成で、ホットスティック５０を操作ジョイント１６に接続した状態で回転させると、ネジ軸１１が回転し、可動部材１２がネジ送りされる。これにより、可動部材１２は、クランプ本体１０の内部空間に進出／退避する。この結果、配電線９０のクランプ／クランプ解除を行うことができる。
【００３９】
連結部材５は、電気絶縁性を有する部材により、細長い丸棒状に形成されている。
【００４０】
連結部材５の長手方向一端部は、配電線保持部４が備えるオフセットアーム１７に対して、ピン２３により回転可能に連結される。配電線保持部４を配電線９０に取り付けた状態で、ピン２３の軸線（言い換えれば、連結部材５の回転軸線）は、水平であり、かつ、平面視で配電線９０に対して直交した向きとなっている。
【００４１】
連結部材５において、配電線保持部４に連結される側と反対側の端部（配電線保持部４から遠い側の端部）には、接続部材１９が固定される。この接続部材１９に、ケーブルクランプ保持部６及び短絡接地クランプ保持部７が取り付けられている。
【００４２】
ケーブルクランプ保持部６は、直線状に細長い丸棒状に形成されている。ケーブルクランプ保持部６の長手方向一端が、接続部材１９を介して連結部材５に取り付けられている。ケーブルクランプ保持部６には、ケーブルクランプ６０を着脱可能に固定することができる。
【００４３】
本実施形態では、ケーブルクランプ６０は、図２に示すように接触刃６２を有するものが用いられている。ケーブルクランプ６０の詳細については後述する。図１に示すように、ケーブルクランプ保持部６には、ケーブルクランプ６０でクランプしたときに接触刃６２が変形しないように、リング状の溝２９が形成されている。
【００４４】
短絡接地クランプ保持部７は、直線状に細長い丸棒状に形成されている。短絡接地クランプ保持部７の長手方向一端が、接続部材１９を介して連結部材５に取り付けられている。短絡接地クランプ保持部７には、短絡接地クランプ７０を着脱可能に固定することができる。短絡接地クランプ７０の詳細については後述する。
【００４５】
ケーブルクランプ保持部６及び短絡接地クランプ保持部７は、接続部材１９（連結部材５の端部）を挟んで互いに反対側に配置されている。また、ケーブルクランプ保持部６及び短絡接地クランプ保持部７は、全体として１本の直線をなすように並べて配置されている。ケーブルクランプ保持部６及び短絡接地クランプ保持部７の長手方向は、上述のピン２３の軸線と平行に配置されている。
【００４６】
ケーブルクランプ保持部６及び短絡接地クランプ保持部７は、電気の良導体（例えば、金属）で形成されている。ケーブルクランプ保持部６と短絡接地クランプ保持部７は、同様に電気の良導体で形成された接続部材１９を介して、電気的に導通している。
【００４７】
接続部材１９は、Ｕ字状に形成されている。接続部材１９の一側の側面にケーブルクランプ保持部６が取り付けられ、他側の側面に短絡接地クランプ保持部７が取り付けられる。
【００４８】
Ｕ字状の接続部材１９の内側には、プーリ３１が回転可能に支持されている。このプーリ３１に、ロープ８の一端側に形成されているループ部が巻き回されている。これにより、ロープ８は、連結部材５の端部に対して回転可能に取り付けられている。
【００４９】
ロープ８は、電気絶縁性を有する材料によって細長く形成されている。ロープ８は、可撓性を有しており、適宜変形可能である。詳細は後述するが、ロープ８の先端を、図２に示すバイパスケーブル（工事用ケーブル）６５の中途部に連結することで、バイパスケーブル６５の重量の一部を支持することができる。
【００５０】
本実施形態では、図１に示すように、ケーブルクランプ保持部６及び短絡接地クランプ保持部７が、連結部材５のうち配電線保持部４から遠い側の端部に取り付けられている。また、ロープ８の端部も同様に、連結部材５のうち配電線保持部４から遠い側の端部に取り付けられている。従って、図１の矢印で示すように連結部材５が姿勢を変更するのに伴って、ケーブルクランプ保持部６の位置、短絡接地クランプ保持部７の位置、及びロープ８の端部の位置が、円弧状の軌跡を描いて移動する。これにより、仮預けされたケーブルクランプ６０及び短絡接地クランプ７０に加わる力、又は、ロープ８に加わる力に応じて、連結部材５の姿勢を柔軟に変更することができる。この結果、ケーブルクランプ６０及びバイパスケーブル６５等の重量を無理なく支持することができる。
【００５１】
更に、本実施形態では、ピン２３がオフセットアーム１７の先端に配置されているので、連結部材５の回転軸は、配電線保持部４が配電線９０を保持する場所から少し離れている。これにより、連結部材５と配電線保持部４との間に適宜の隙間を形成することができるので、連結部材５が姿勢を変更するときに配電線保持部４との間で干渉しにくくなっている。また、配電線保持部４についてクランプ／クランプ解除の操作を行うときに、連結部材５がホットスティック５０の邪魔になりにくいので、作業性が良好である。
【００５２】
次に、ケーブルクランプ６０について説明する。
【００５３】
図２に示すように、バイパスケーブル６５の先端には、ケーブルクランプ６０が固定されている。ケーブルクランプ６０は、クランプ部６１を備える。クランプ部６１は、径間クリート１における配電線保持部４と同様に、配電線９０を上下方向で挟んでクランプすることができる。クランプ部６１の構成は、径間クリート１の配電線保持部４と同様であるため、説明を省略する。ただし、このクランプ部６１には、配電線９０をクランプしたときに絶縁被膜を切り込んで心線に接触するための接触刃６２が設けられている。この結果、クランプ部６１と配電線９０の心線とが電気的に導通する。クランプ部６１は電気の良導体から構成されており、バイパスケーブル６５の心線と電気的に接続されている。
【００５４】
クランプ部６１の下端部には、ジョイント部材６３が設けられている。このジョイント部材６３にホットスティック５０を接続してネジ軸を回転させることで、ケーブルクランプ６０のクランプ／クランプ解除を行うことができる。クランプ部６１の周囲は、絶縁カバー６４によって覆われている。
【００５５】
次に、短絡接地クランプ７０について説明する。
【００５６】
図３に示すように、短絡接地器具７８は、短絡接地ケーブル７５と、短絡接地クランプ７０と、を備える。短絡接地ケーブル７５の一側の端部は、地面に埋め込まれた図略の接地端子に電気的に接続される。短絡接地クランプ７０は、短絡接地ケーブル７５のうち接地端子と反対側の端部に固定されている。
【００５７】
短絡接地クランプ７０は、クランプ部７１を備える。クランプ部７１は、径間クリート１における配電線保持部４と同様に、配電線９０を上下方向で挟んでクランプすることができる。クランプ部７１の構成は、径間クリート１の配電線保持部４と同様であるため、説明を省略する。配電線９０において、クランプ部７１によってクランプする箇所の絶縁被覆は、事前に剥ぎ取られ、心線が露出している。従って、クランプ部７１によって配電線９０をクランプすることで、クランプ部７１と配電線９０の心線とが電気的に導通する。クランプ部７１は電気の良導体から構成されており、短絡接地ケーブル７５の心線と電気的に接続されている。
【００５８】
短絡接地クランプ７０の下端部には、ジョイント部材７３が設けられている。このジョイント部材７３にホットスティック５０を接続してネジ軸を回転させることで、短絡接地クランプ７０のクランプ／クランプ解除を行うことができる。
【００５９】
３相のうち１相の短絡接地クランプ７０の下部には、クランプ取付棒７４が設けられている。このクランプ取付棒７４には、図３の鎖線で示すように、他の２相の短絡接地クランプ７０を仮固定することができる。これにより、３相３線分の短絡接地クランプ７０及び短絡接地ケーブル７５をまとめて取り扱うことが容易となっている。
【００６０】
次に、径間クリート１を用いてバイパスケーブル６５を配電線９０に取り付ける作業について、図４から図１１までを参照して詳細に説明する。
【００６１】
図４には、配電線９０について設定された工事区間９０ａの一側の端部が概略的に示されている。工事区間９０ａの外側において配電線９０にバイパスケーブル６５を取り付ける際には、予め、電柱４１に取り付けられた工事用開閉器４２に、３本のバイパスケーブル６５の長手方向一端部をそれぞれ接続しておく。ただし、図４から図９まで及び図１１では、配電線９０、バイパスケーブル６５、及び径間クリート１等は１つだけ示している。工事用開閉器４２は、予めＯＦＦとしておく。
【００６２】
次に、作業者は、図５に示すように、径間クリート１の配電線保持部４によって配電線９０をクランプする。径間クリート１を配電線９０に取り付ける向きは、連結部材５が配電線保持部４よりも工事区間９０ａに近い側（工事用開閉器４２に近い側）となる向きとする。これにより、径間クリート１が配電線９０に固定され、連結部材５がほぼ真下を向いた状態になる。
【００６３】
径間クリート１を取り付ける操作は、径間クリート１の操作ジョイント１６にホットスティック５０を取り付け、このホットスティック５０を回転させることにより行うことができる。作業者は、図示しない高所作業車のバケットに乗った状態で、各種の作業を行う。
【００６４】
径間クリート１を取り付ける作業は、３相３線の配電線９０に対してそれぞれ行われる。従って、径間クリート１は３つ必要になる。
【００６５】
続いて、作業者は、図６に示すように、３つの径間クリート１のそれぞれについて、ケーブルクランプ保持部６にケーブルクランプ６０を取り付ける。具体的には、ケーブルクランプ６０のクランプ部６１によって、ケーブルクランプ保持部６をクランプさせる。この操作は、ケーブルクランプ６０にホットスティック５０を接続した状態で行う。これにより、ケーブルクランプ６０が径間クリート１に仮預けされる。
【００６６】
径間クリート１に固定されたケーブルクランプ６０と、工事用開閉器４２と、の間では、バイパスケーブル６５が下方に湾曲しながら垂れ下がった状態となる。ケーブルクランプ保持部６は、配電線保持部４に対して姿勢を変更可能な連結部材５の下端部に配置されているので、ケーブルクランプ６０は、例えば図６の鎖線で示すように移動可能である。これにより、ケーブルクランプ６０と工事用開閉器４２との間で、バイパスケーブル６５を自然に屈曲させた状態とすることができる。従って、バイパスケーブル６５の無理な曲げによる損傷等を防止することができる。
【００６７】
次に、作業者は、図７に示すように、３つのうち１つの径間クリート１において、短絡接地クランプ保持部７に、３相３線分がまとめられた短絡接地器具７８を取り付ける。具体的には、短絡接地クランプ７０のクランプ部７１によって、短絡接地クランプ保持部７をクランプさせる。この操作は、短絡接地クランプ７０にホットスティック５０を接続した状態で行う。ただし、図７以降では、図が複雑になるのを避けるため、短絡接地クランプ７０に接続されるホットスティック５０は描かれていない。これにより、短絡接地クランプ７０が径間クリート１に仮預けされる。
【００６８】
その後、作業者は、バイパスケーブル６５の中途部を径間クリート１側に近づけるようにある程度引き寄せ、当該中途部とケーブルクランプ６０との間で、バイパスケーブル６５を適宜の量だけ弛ませる。この状態で、図８に示すように、バイパスケーブル６５の中途部が、径間クリート１のロープ８に結び付けられる。この作業は、３つのバイパスケーブル６５（径間クリート１）に対してそれぞれ行われる。
【００６９】
図１に示すように、径間クリート１において、ロープ８の端部が連結部材５に取り付けられる場所は、短絡接地クランプ保持部７よりも、ケーブルクランプ保持部６に近くなっている。従って、ロープ８をバイパスケーブル６５に固定する場合に、短絡接地クランプ保持部７に仮預けされている短絡接地クランプ７０等にロープ８が引っ掛かりにくくすることができる。これにより、作業を円滑に行うことができる。
【００７０】
次に、作業者は、ホットスティック５０を操作して、径間クリート１のケーブルクランプ保持部６からケーブルクランプ６０を取り外す。その後、図９に示すように、ケーブルクランプ６０が配電線９０に取り付けられる。具体的には、ケーブルクランプ６０のクランプ部６１によって、配電線９０をクランプさせる。この結果、配電線９０とバイパスケーブル６５が電気的に導通する。ケーブルクランプ６０への配電線９０の取付箇所は、径間クリート１の配電線９０への取付箇所よりも、工事区間９０ａから遠い側となっている。
【００７１】
この作業は、３つのケーブルクランプ６０のそれぞれについて行われる。図１０には、３つのケーブルクランプ６０を配電線９０に接続した状態が示されている。
【００７２】
図９の状態では、ケーブルクランプ６０と工事用開閉器４２との間のバイパスケーブル６５の重量のうち相当の部分が、ロープ８及び連結部材５を介して、径間クリート１によって支持される。従って、配電線９０に接続しているケーブルクランプ６０が、バイパスケーブル６５の重量によって斜め下方向に強く引っ張られなくなる。従って、ケーブルクランプ６０の接続箇所における配電線９０の折れを防止することができる。更には、配電線９０の横加重負担を軽減できるので、配電線９０の損傷を防止できる。また、ケーブルクランプ６０の接触刃６２によって配電線９０の絶縁被覆に開けられる孔の歪みを防止することができる。
【００７３】
更には、バイパスケーブル６５の重量を、径間クリート１とケーブルクランプ６０の２つで分担して支持しているので、配電線９０に対して局所的に大きな負荷が掛かるのを防止できる。
【００７４】
ロープ８は、配電線保持部４に対して姿勢を変更可能な連結部材５の下端部に連結されている。従って、連結部材５の姿勢を柔軟に変更しながら、バイパスケーブル６５の中途部を吊って支持することができる。この結果、バイパスケーブル６５の無理な曲げを防止することができる。
【００７５】
上述のとおり、ケーブルクランプ６０を配電線９０へ接続する作業は、３つのケーブルクランプ６０についてそれぞれ行われる。この点、本実施形態では、３つのケーブルクランプ６０は、配電線９０への接続箇所に近い場所に固定された径間クリート１にそれぞれ仮預けされている。従って、配電線９０に対する接続箇所へ径間クリート１からケーブルクランプ６０を動かす距離を短くすることができる。ケーブルクランプ６０の接続作業は３回繰り返すことになるので、上記の距離短縮の効果は特に大きい。
【００７６】
１つ目のケーブルクランプ６０を配電線９０に接続した後は、当該ケーブルクランプ６０に繋がっているバイパスケーブル６５は充電状態となる。しかしながら、バイパスケーブル６５の中途部がロープ８によって吊られているので、ケーブルクランプ６０の近傍で、バイパスケーブル６５が下側に大きく垂れ下がることがない。従って、２つ目以降のケーブルクランプ６０を配電線９０に接続する場合に、大きく迂回して移動する必要がない。この意味でも、全体としての作業性を向上させることができる。
【００７７】
以上により、ケーブルクランプ６０の配電線９０への接続作業が完了する。なお、工事区間９０ａの反対側の端部についても、上記と実質的に同様の作業が行われる。これにより、工事区間９０ａをバイパスするバイパス電路が構成される。その後、工事用開閉器４２がＯＮに操作される。
【００７８】
続いて、適宜の切断工事用工具を用いて、図１１に示す切分箇所４９において、配電線９０を切断する。切断工事用工具としては、例えば特許文献１に示すものを用いることができる。配電線９０の切断は、工事区間９０ａの反対側においても同様に行われる。これにより、工事区間９０ａの配電線９０が停電する。
【００７９】
その後、工事区間９０ａの配電線９０において、切分箇所４９に近い部分の絶縁被覆を剥ぎ取り、３つのうち１つの径間クリート１に固定されていた短絡接地クランプ７０を取り付ける。この作業は、３つの配電線９０に対してそれぞれ行われる。その後、工事区間９０ａの配電線９０に対する作業が、工事の目的に応じて適宜行われる。
【００８０】
工事区間９０ａでの工事が完了した後は、上述と逆の手順でバイパスケーブル６５及び径間クリート１を取り外せば良い。ただし、図１２に示すように、３つの配電線９０のそれぞれから取り外した短絡接地クランプ７０は、１つにまとめずに、３つの径間クリート１のそれぞれに仮預けする。この状態で、３つのケーブルクランプ６０を取り外してそれぞれの径間クリート１に仮預けすると、ケーブルクランプ保持部６と短絡接地クランプ保持部７が電気的に導通しているので、３つのケーブルクランプ６０のそれぞれを、短絡接地クランプ７０を介して放電することができる。このように、本実施形態の径間クリート１は、ケーブルクランプ６０の放電を容易に行うことができる。
【００８１】
以上に説明したように、本実施形態の径間クリート１は、配電線保持部４と、連結部材５と、ケーブルクランプ保持部６と、ロープ８と、を備える。配電線保持部４は、電柱４１の間の配電線９０に対して着脱可能である。連結部材５は、電気絶縁性を有し、細長く形成される。ケーブルクランプ保持部６は、ケーブルクランプ６０を着脱可能である。ロープ８は、変形可能であり、細長く構成される。連結部材５の一端部が配電線保持部４に回転可能に取り付けられることで、配電線保持部４に対する連結部材５の姿勢が変更可能である。ケーブルクランプ保持部６の位置が、連結部材５の姿勢の変更に伴って移動する。ロープ８の端部が、連結部材５の姿勢の変更に伴って移動する。
【００８２】
また、本実施形態では、以下に示す方法で、バイパスケーブル６５が配電線９０に接続される。即ち、このバイパスケーブル接続方法は、ケーブルクランプ接続工程を含む。このケーブルクランプ接続工程では、電柱４１の間の配電線９０に径間クリート１の配電線保持部４が取り付けられた状態で、ケーブルクランプ保持部６に取り付けられているケーブルクランプ６０を、ケーブルクランプ保持部６から取り外して配電線９０に接続する。ケーブルクランプ接続工程において、ケーブルクランプ６０に接続されているバイパスケーブル６５の中途部が、ロープ８によって支持されている。
【００８３】
これにより、電柱４１の間の配電線９０に固定した径間クリート１に、ケーブルクランプ６０を仮預けすることができる。従って、電柱４１に仮預けする場合と比較して、仮預けしたケーブルクランプ６０を配電線９０に接続するまでに移動させなければならない距離を短縮することができる。また、ケーブルクランプ保持部６にケーブルクランプ６０を仮預けした状態で、又は、バイパスケーブル６５の中途部にロープ８を固定した状態で、連結部材５の姿勢を配電線保持部４に対して変更することができる。従って、バイパスケーブル６５を無理に曲げることなく支持することができる。更に、バイパスケーブル６５の中途部にロープ８を固定することで、バイパスケーブル６５の重量のうち相当の部分を、径間クリート１によって支持することができる。従って、配電線９０の横加重負担を軽減できる。言い換えれば、ケーブルクランプ６０を配電線９０に接続した状態でバイパスケーブル６５によってケーブルクランプ６０が斜め下方に強く引っ張られることによる配電線９０の損傷等を防止できる。
【００８４】
また、本実施形態の径間クリート１は、短絡接地クランプ７０を着脱可能な短絡接地クランプ保持部７を備える。
【００８５】
これにより、ケーブルクランプ６０に加えて、短絡接地クランプ７０を径間クリート１に仮預けすることもできる。従って、作業性が更に向上する。
【００８６】
また、本実施形態の径間クリート１において、ケーブルクランプ保持部６と、短絡接地クランプ保持部７とが、電気的に導通している。
【００８７】
これにより、ケーブルクランプ６０をケーブルクランプ保持部６に取り付け、短絡接地クランプ７０を短絡接地クランプ保持部７に取り付けることで、バイパスケーブル６５の放電を容易に行うことができる。
【００８８】
また、本実施形態の径間クリート１において、ケーブルクランプ保持部６と、短絡接地クランプ保持部７とが、連結部材５を挟んで互いに反対側に配置されている。
【００８９】
これにより、径間クリート１の小型化を実現できる。また、コンパクトなスペースに、ケーブルクランプ６０及び短絡接地クランプ７０を仮預けすることができる。
【００９０】
また、本実施形態の径間クリート１において、連結部材５が配電線保持部４に対して回転する回転軸は、配電線保持部４が配電線９０を保持する場所と、平面視で異なる位置に配置されている。
【００９１】
これにより、連結部材５と配電線保持部４の間に適宜の隙間を形成できる。従って、連結部材５が姿勢を変更するときに配電線保持部４が邪魔になりにくい構成を実現できる。
【００９２】
以上に本発明の好適な実施の形態を説明したが、上記の構成は例えば以下のように変更することができる。
【００９３】
オフセットアーム１７を省略して、連結部材５をクランプ本体１０に対して直接取り付けることもできる。
【００９４】
ケーブルクランプ保持部６は、ケーブルクランプ６０によってクランプすることが可能であれば、形状を適宜変更することができる。短絡接地クランプ保持部７も同様である。
【００９５】
短絡接地クランプ保持部７を省略しても良い。
【００９６】
径間クリート１がロープ８を複数本備えても良い。ロープ８に代えて、例えば鎖等を用いても良い。
【００９７】
上述の実施形態では、ロープ８の先端をバイパスケーブル６５に結び付ける構成となっている。ただし、ロープ８の先端にクランプ等を設けて、バイパスケーブル６５をクランプすることで固定する構成としてもよい。
【００９８】
本発明のケーブルクランプ仮預け工具は、無停電バイパス工法以外の工事にも広く用いることができる。
【符号の説明】
【００９９】
１  径間クリート（ケーブルクランプ仮預け工具）
４  配電線保持部
５  連結部材
６  ケーブルクランプ保持部
７  短絡接地クランプ保持部
８  ロープ（吊り部材）
４１  電柱
６０  ケーブルクランプ
６５  バイパスケーブル（工事用ケーブル）
７０  短絡接地クランプ
９０  配電線
【図１】
2020137268.tif 000003
【図２】
2020137268.tif 000004
【図３】
2020137268.tif 000005
【図４】
2020137268.tif 000006
【図５】
2020137268.tif 000007
【図６】
2020137268.tif 000008
【図７】
2020137268.tif 000009
【図８】
2020137268.tif 000010
【図９】
2020137268.tif 000011
【図１０】
2020137268.tif 000012
【図１１】
2020137268.tif 000013
【図１２】
2020137268.tif 000014